(57)【特許請求の範囲】
【請求項１】
遊技盤表面に設けた画像表示装置内に複数列の表示部を表示し、始動口への入球に基づいて、それぞれの表示部に複数のシンボルマークを高速で変動表示した後、該シンボルマークの変動表示を停止し、該シンボルマークの停止表示態様が予め定めた賞態様である所定の組み合わせであった場合に、特別遊技装置を用いて遊技者にとって有利な特別遊技を行わせるパチンコ機において、
上記画像表示装置内に表示する表示部は、
複数のシンボルマークを停止表示可能な第１表示部と、
１個のシンボルマークを停止表示可能であるとともに、該シンボルマークの停止表示位置が上記第１表示部におけるシンボルマークの停止表示位置の範囲内で位置移動可能な第２表示部とを備え、
第１表示部と第２表示部に表示されるシンボルマークにより、賞態様を構成するために有効となる有効ラインが複数本形成可能に構成され、
前記第２表示部の位置移動が開始され、その後位置移動が停止し、該停止位置に従って有効ラインが形成された後であって、
前記第２表示部に表示されるシンボルマークの変動表示を停止した後、
リーチ状態が成立していないライン上に第２表示部が停止しているときであって、最終的に賞態様を構成させるときには、リーチ状態が成立していないライン上に停止している第２表示部を、再び位置移動させてリーチ状態が成立しているライン上に停止させるようにしたことを特徴とするパチンコ機。
【発明の詳細な説明】
【０００１】
【産業上の利用分野】
本発明は、パチンコに関し、特に、予め定めた所定の条件が整った場合に、遊技者にとって有利な特別遊技を行わせるパチンコ機において、所定の条件の発生過程を複雑にしたものである。
【０００２】
【従来の技術】
従来、この種のパチンコ機としては、遊技部内に設けた画像表示装置内に横３列の表示部を並設し、各表示部には、複数のシンボルマークが変動表示可能となっている。
そして、始動口に打球が入賞すると、画像表示装置内に設けた表示部に複数のシンボルマークを高速で変動表示し、所定時間が経過した後、シンボルマークの変動表示を停止し、該シンボルマークの停止表示態様が所定の組み合わせ、例えば「７」「７」「７」となった場合に、遊技者にとって有利な特別遊技を行わせていた。
【０００３】
この特別遊技は、例えば、アタッカータイプの大入賞口を所定時間または所定回数だけ開いて、大入賞口内に打球を受け入れ易い状態とし、通常遊技と比較してより多くの賞球を排出するものである。
【０００４】
【発明が解決しようとする課題】
しかし、上記した従来のパチンコ機では、画像表示装置内に設けた複数の表示部は、それぞれ同様の形態をなしており、各表示部におけるシンボルマークの停止表示過程は、いずれの表示においても同様なものとなっている。
したがって、シンボルマークの停止表示過程に変化を持たせることができないので、表示部を用いて行う特別遊技を発生させるための遊技が単純なものとなって、遊技の興趣を損ねることとなっていた。
【０００５】
そこで、請求項１記載のパチンコ機は、上記した従来の技術の有する問題点に鑑み提案されたもので、その目的とするところは、画像表示装置内に設けた表示部におけるシンボルマークの表示態様に変化を持たせ、シンボルマークの停止表示過程を複雑にすることで、遊技の興趣を高めることができるパチンコ機を提供することにある。
【０００６】
これに加え、請求項２記載のパチンコ機では、シンボルマークの特に複雑な停止表示課程を備えたパチンコ機を提供することにある。
【０００７】
【課題を解決するための手段】
本発明は、上記した目的を達成するためのものであり、以下にその内容を図面に示した実施例を用いて説明する。
請求項１記載の発明は、遊技盤(10)表面に設けた画像表示装置(50)内に複数列の表示部(40)を表示し、始動口(60)への入球に基づいて、それぞれの表示部(40)に複数のシンボルマークを高速で変動表示した後、該シンボルマークの変動表示を停止し、該シンボルマークの停止表示態様が予め定めた賞態様である所定の組み合わせであった場合に、特別遊技装置（例えば大入賞口70）を用いて遊技者にとって有利な特別遊技を行わせるパチンコ機において、上記画像表示装置(50)内に表示する表示部(40)は、複数のシンボルマークを停止表示可能な第１表示部(41)と、１個のシンボルマークを停止表示可能であるとともに、該シンボルマークの停止表示位置が上記第１表示部(41)におけるシンボルマークの停止表示位置の範囲内で位置移動可能な第２表示部(42)とを備え、第１表示部(41)と第２表示部(42)に表示されるシンボルマークにより、賞態様を構成するために有効となる有効ラインが複数本形成可能に構成され、前記第２表示部(42)に表示されるシンボルマークの変動表示を停止した後、最終的に賞態様を構成させるときには、リーチ状態が成立していないライン上に停止している第２表示部(42)を、再び位置移動させてリーチ状態が成立しているライン上に停止させるようにしたことを特徴とする。
【０００８】
また、請求項２記載の発明は、遊技盤(10)表面に設けた画像表示装置(50)内に複数列の表示部(40)を表示し、始動口(60)への入球に基づいて、それぞれの表示部(40)に複数のシンボルマークを高速で変動表示した後、該シンボルマークの変動表示を停止し、該シンボルマークの停止表示態様が予め定めた賞態様である所定の組み合わせであった場合に、特別遊技装置（例えば大入賞口70）を用いて遊技者にとって有利な特別遊技を行わせるパチンコ機において、前記第１表示部(41)との間で賞態様を構成するために有効となる有効ラインを形成するようにシンボルマークを位置移動可能な第２表示部(42)とを備え、前記第２表示部(42)に表示されるシンボルマークの変動表示を停止した後、最終的に賞態様を構成させないときには、リーチ状態が成立していないライン上に停止している第２表示部(42)を、再び位置移動させてリーチ状態が成立していないライン上に停止させるようにしたことを特徴とする。
【０００９】
【作用】
請求項１記載の発明によれば、遊技盤(10)の表面に設けた画像表示装置(50)内に複数の表示部(40)が表示される。この表示部(40)は、複数のシンボルマークを停止表示可能な第１表示部(41)と、１個のシンボルマークを停止表示可能であるとともに、該シンボルマークの停止表示位置が位置移動する第２表示部(42)とから構成されている。
また、第１表示部(41)と第２表示部(42)に表示されるシンボルマークにより、賞態様を構成するために有効となる有効ラインが複数本形成可能に構成されている。
また、前記第２表示部(42)に表示されるシンボルマークの変動表示を停止した後、最終的に賞態様を構成させるときには、リーチ状態が成立していないライン上に停止している第２表示部(42)を、再び位置移動させてリーチ状態が成立しているライン上に停止させる。
【００１０】
【００１１】
【００１２】
ここで、第２表示部(42)の停止態様に基づいて決定される有効ライン上に停止表示されるシンボルマークの組み合わせが、賞態様を構成する予め定めた所定の組み合わせ、例えば「３」「３」「３」であった場合には、特別遊技装置（大入賞口70）を用いて遊技者にとって有利な特別遊技を行わせる。この特別遊技により、遊技者はより多くの賞球を獲得することができる。
【００１３】
このように、特別遊技の成立を決定するための表示部(40)は、シンボルマークの停止表示態様が異なる第１表示部(41)及び第２表示部(42)とからなるとともに、第２表示部(42)のシンボルマークの停止位置が変化するため、表示部(40)におけるシンボルマークの停止表示過程が複雑なものとなり、遊技の興趣を高めることができる。
【００１４】
【実施例】
以下、図面に基づき本発明の一実施例を説明する。
図１,２は、本発明の一実施例を示すものであり、図１はパチンコ機の遊技盤の正面図、図２は画像表示装置内の表示部の停止態様で、図２（Ａ）は第２表示部が上位置にある状態、図２（Ｂ）は第２表示部が中央位置にある状態、図２（Ｃ）は第２表示部が下位置にある状態を各々示す。
【００１５】
図１中、10はパチンコ機の前面に設けた遊技盤10を示し、この遊技盤10内には、ガイドレール20囲まれた遊技部30を形成し、遊技部30内のほぼ中央には表示部40等を画像表示する画像表示装置50が設けてある。この画像表示装置50は、例えば、液晶表示装置や、ＣＲＴ等のように任意のカラー画像を表示できる装置であり、奥行きに制限があるパチンコ機内に設置するため、特に、奥行きを薄くすることが可能な液晶表示装置を用いることが望ましい。
【００１６】
また、画像表示装置50の下方には、打球の入球に基づいて、画像表示装置50内に表示する表示部40におけるシンボルマークの変動表示を開始させるための始動口60を設け、始動口60の下方には、打球を受け入れ難い第１状態と、打球を受け入れ易い第２状態とに変換可能な大入賞口70が設けてあり、大入賞口70内には大入賞口70が打球を受け入れ易い第２状態に変換した場合、この第２状態を継続させるための継続入賞口80が設けてある。この大入賞口70が、特別入賞装置として機能する。
【００１７】
始動口60に入球した打球は４個まで記憶され、画像表示装置50の上部に設けた、ＬＥＤやランプ等からなる入賞記憶部90に記憶表示される。
上記大入賞口70は、いわゆるアタッカーからなり、常には扉が閉じて大入賞口70内に打球を受け入れ難い第１状態となっており、予め定めた所定の条件の達成、例えば、表示部40におけるシンボルマークの停止表示態様が、予め定めた所定の組み合わせとなった場合に、扉を開いて大入賞口70内に打球を受け入れ易い第２状態に変換する。
【００１８】
また、大入賞口70の左右には、一般入賞口100,100が設けてあるとともに、その他の遊技部30内には、装飾ランプ110や、図示しない風車、一般入賞口等が設けてある。
上記始動口60に打球が入賞すると、画像表示装置50内に表示される表示部40に複数のシンボルマークが高速で変動表示され、所定時間経過後、シンボルマークの変動表示が停止し、このシンボルマークの停止表示態様が予め定めた所定の組み合わせ、例えば、「３」「３」「３」となった場合に、大入賞口70を打球を受け入れ難い第１状態から打球を受け入れ易い第２状態に変換する。そして、大入賞口70の第２状態への変換は、所定時間、例えば３０秒の経過により、あるいは、所定個数、例えば１０球の打球の入球により終了し、大入賞口70は、打球を受け入れ難い第１状態に戻り、特別遊技を終了する。また、大入賞口70が打球を受け入れ易い第２状態に変換している間に、大入賞口70内に入球した打球が、さらに継続入賞口80に入球すると、上記した特別遊技を最高１６回まで継続して繰り返すことができる。
【００１９】
図２に基づき、画像表示装置50内に表示される表示部40について、さらに詳しく説明する。
画像表示装置50内には、横並びに３列に複数のシンボルマークを変動表示可能な表示部40が表示される。この表示部40のうち左右に設けた第１表示部41には３個のシンボルマークを縦並びに停止表示することができ、中央に設けた第２表示部42には１個のシンボルマークを停止表示することができる。
【００２０】
上記した第２表示部42は、縦方向に位置移動可能である。この第２表示部42の移動範囲は、左右に設けた第１表示部41に停止表示されるシンボルマークの範囲となっており、第２表示部42は、第１表示部41に停止されるシンボルマークの各位置に対応して、上、中、下の各位置に停止する。この第２表示部42は、上−中−下の順に位置移動し、下位置まで移動した後は再び上位置に戻って、上記した順で循環して位置移動を繰り返す。
【００２１】
上記した２箇所の第１表示部41と１箇所の第２表示部42とに表示されるシンボルマークのうち、第２表示部42の停止位置に基づき、横一直線上または斜め一直線上に表示される３個のシンボルマークの組み合わせにより、賞態様を構成するかどうかが判断される。すなわち、第２表示部42の移動停止位置により、賞態様を構成するために有効となるラインが決定されるのであり、第２表示部42が上位置に停止した場合には、図２（Ａ）に示すように、上部の横ラインＬ１が有効ラインとなる。また、第２表示部42が中位置に停止した場合には、図２（Ｂ）に示すように、中央の横ラインＬ２及び×字状にクロスする２本の斜めラインＬ３，Ｌ４が有効ラインとなる。さらに、第２表示部42が下位置に停止した場合には、図２（Ｃ）に示すように、下部の横ラインＬ５が有効ラインとなる。
【００２２】
上記した各表示部41,42におけるシンボルマークの表示及び第２表示部42の位置移動態様をさらに詳しく説明する。尚、以下に説明する実施例では、賞態様を構成するシンボルマークの組み合わせは、「３」「３」「３」であるとする。
通常遊技時、及び遊技を行っていないデモンストレーション時においては、上記したように、画像表示装置50内には横並びに３列の表示部41,42が表示されており、３列の各表示部41,41,42のうち左右に位置する表示部は３個のシンボルマークを停止表示可能な第１表示部41,41であり、中央に位置する表示部は１個のシンボルマークを停止表示可能な第２表示部42となっている。そして、第１表示部41,41内及び第２表示部42内ではシンボルマークが移動変動表示せずに停止表示されているとともに、第２表示部42が上〜中〜下、さらに、下〜中〜上、そして、上〜中〜下の順に低速で上下方向に位置移動されている。
【００２３】
そして、始動口60に打球が入球すると、第１表示部41内では複数のシンボルマークが高速で上下方向に変動表示を開始する。また、上下方向に位置移動する第２表示部42内でも複数のシンボルマークが高速で変動表示を開始するとともに、第２表示部42の位置移動も高速なものとなる。
その後、所定時間が経過すると、第１表示部41におけるシンボルマークの変動表示が停止する。
【００２４】
そして、第２表示部42におけるシンボルマークの変動表示及び第２表示部42の位置移動も停止するのであるが、これらの停止過程は、予め定めた賞態様が構成される可能性があるかどうかで異なる。
予め定めた賞態様となるシンボルマークの組み合わせである「３」「３」「３」となる可能性がない場合、すなわち、いわゆる非リーチ時には、まず、第２表示部42内で変動表示しているシンボルマークが賞態様を構成しない状態、例えば「５」等の数字となるよう停止する。その後、第２表示部42の位置移動が、上、中、下のいずれかの位置で停止する。
【００２５】
この場合には、第２表示部42内のシンボルマークが停止表示された時点で、遊技者は賞態様が構成されないことを知ることができる。
一方、予め定めた賞態様となるシンボルマークの組み合わせである「３」「３」「３」となる可能性がある場合、すなわち、いわゆるリーチ時には、まず、第２表示部42の位置移動が、上、中、下のいずれかの位置で停止する。これにより、上記した有効となるラインが決定される。
【００２６】
そして、第１表示部41内で変動表示していたシンボルマークが停止するのであるが、この場合、有効となったライン上に当たりを構成するシンボルマークである「３」が位置するように停止する。例えば、第２表示部42が上位置に停止した場合には、上部の横ラインＬ１上にある左右の第１表示部41の上位置には、それぞれ「３」が停止表示されるのである。
【００２７】
次に、第２表示部42内で変動表示していたシンボルマークが、低速で変動表示された後、停止する。ここで、第２表示部42に停止表示したシンボルマークが「３」であった場合には、賞態様を構成し、上記した特別遊技を行うことができる。一方、第２表示部42に停止表示したシンボルマークが「３」以外である場合には、ハズレとなり、通常の遊技状態に戻る。
【００２８】
また、表示部40におけるシンボルマークの停止過程に変化を持たせるため、リーチ時には、他の態様でシンボルマークの表示停止及び第２表示部42の位置移動の停止をさせることもできる。以下、リーチ時における他の停止パターンを説明する。
予め定めた賞態様となるシンボルマークの組み合わせである「３」「３」「３」となる可能性がある場合、すなわち、いわゆるリーチ時には、まず、第２表示部42の位置移動が、上、中、下のいずれかの位置で停止する。これにより、有効となるラインが決定される。
【００２９】
そして、第１表示部41及び第２表示部42内で変動表示していたシンボルマークが、低速で変動表示された後、停止する。この場合、第２表示部42に停止するシンボルマークは「３」となっている
ここで、最終的に賞態様を構成させる場合で、リーチ状態が成立していないライン上に第２表示部42が停止している場合には、リーチ状態が成立しているライン上に第２表示部42が停止するよう、再び第２表示部42を位置移動して、賞態様を構成させる。例えば、第２表示部42が上位置に停止し、左右の第１表示部41に停止したシンボルマークが、上位置ではそれぞれ「５」「５」であり、中位置ではそれぞれ「７」「７」、下位置ではそれぞれ「３」「３」である場合（図２（Ａ））には、上位置に停止した第２表示部42を再び位置移動して下位置に停止させて、下部の横ラインＬ５上に賞態様を構成させ（図２（Ｃ））、特別遊技を行わせるのである。
【００３０】
一方、最終的に賞態様を構成させない場合には、リーチ状態が成立していないライン上に第２表示部42が停止しているときには、上記した態様で第２表示部42を位置移動させない（図２（Ａ）のまま）し、リーチ状態が成立しているライン上（上位置）に第２表示部が停止しているときには、上位置に停止した第２表示部42を再び位置移動して中位置に停止させて（図２（Ｂ））、ハズレの態様とする。
尚、上記した実施例では、画像表示装置50の中に表示される表示部40のうち、左右を第１表示部41とし、中央を第２表示部42としたが、第１表示部41、第２表示部42の位置は適宜変更して実施することができ、例えば左側を第２表示部42とするとともに中央及び右側を第１表示部41としたり、あるいは、左側及び中央を第１表示部41とするとともに右側を第２表示部42とすることもできる。また、それぞれの表示部41,42に表示するシンボルマークの数は、上記した数に限られず、例えば、第１表示部41に２個または４個以上のシンボルマークを停止表示させたり、第２表示部42に２個以上のシンボルマークを停止表示させることもできる。さらに、第１表示部41及び第２表示部42の数も、上記した実施例の数に限られず、例えば、第１表示部41を３箇所以上とし、第２表示部42を２箇所以上とすることもできる。このように第１表示部41及び第２表示部42の位置や数等を変更すれば、さらに遊技内容に変化を持たせたり、遊技内容を複雑にすることができる。
【００３１】
また、画像表示装置50内には、上記した各表示部の他、人物等のキャラクターを表示したり、ゲームの説明等を表示することができる。
【００３２】
【発明の効果】
本発明は、以上のように構成されているので、以下に記載されるような効果を奏する。
請求項１記載の発明によれば、画像表示装置内に表示される複数の表示部は、複数のシンボルマークを停止表示可能な第１表示部と、１個のシンボルマークを停止表示可能であるとともに、該シンボルマークの停止表示位置が位置移動する第２表示部とから構成されている。
第１表示部と第２表示部に表示されるシンボルマークにより、賞態様を構成するために有効となる有効ラインが複数本形成可能に構成されているので、第２表示部の停止態様に基づいて決定される有効ライン上に停止表示されるシンボルマークの組み合わせが、賞態様を構成する予め定めた所定の組み合わせであった場合には、遊技者にとって有利な特別遊技を行わせる。
また、前記第２表示部に表示されるシンボルマークの変動表示を停止した後、最終的に賞態様を構成させるときには、リーチ状態が成立していないライン上に停止している第２表示部(42)を、再び位置移動させてリーチ状態が成立しているライン上に停止させる。
【００３３】
【００３４】
【図面の簡単な説明】
【図１】  パチンコ機の遊技盤の正面図である。
【図２】  画像表示装置内の表示部の停止態様を示したもので、（Ａ）は第２表示部が上位置にある状態、（Ｂ）は第２表示部が中央位置にある状態、（Ｃ）は第２表示部が下位置にある状態を各々示す。
【符号の説明】
10  遊技盤            20  ガイドレール
30  遊技部            40  表示部
41  第１表示部        42  第２表示部
50  画像表示装置      60  始動口
70  大入賞口          80  継続入賞口
90  入賞記憶部       100  一般入賞口
110  装飾ランプ
【図１】
0004237274.tif 000002
【図２】
0004237274.tif 000003